(57)【要約】【課題】竪枠の見込方向の角部に人がぶつかっても重大な事故につながりにくい、安全性の高い間仕切り用パネルを提供すること。【解決手段】所定の板厚寸法で見込方向の角部位置に曲げ部４ａを有する竪枠４に上横枠６、下横枠７及び無目８をそれぞれ接合してなるパネル枠９と、このパネル枠９の開口９ａに配設される引戸１０等の建具とを備える間仕切り用パネル１において、前記板厚寸法を０．８〜２．５ｍｍとし、竪枠４の曲げ部４ａにおける外側曲げ半径Ｒの大きさを、その板厚寸法の４〜１０倍とする。【選択図】図４
2014173403.tif 000002
【特許請求の範囲】
【請求項１】
所定の板厚寸法で見込方向の角部位置に曲げ部を有する竪枠に横枠を接合してなるパネル枠と、このパネル枠の開口に配設される建具とを備える間仕切り用パネルにおいて、前記板厚寸法を０．８〜２．５ｍｍとし、竪枠の曲げ部における外側曲げ半径の大きさを、その板厚寸法の４〜１０倍としたことを特徴とする間仕切り用パネル。
【請求項２】
竪枠と横枠の見込方向幅寸法を同じとし、竪枠の端部に突起部を設け、横枠の端部にその突起部に対応する切欠き部を設け、これら突起部と切欠き部とを嵌合させるとともに、固定具により固定することによって、竪枠と横枠とを接合したことを特徴とする請求項１記載の間仕切り用パネル。
【請求項３】
パネル枠に、該パネル枠の開口を上下に仕切るように無目を設け、この無目の見込方向幅寸法を、竪枠から曲げ部を除外した部分の見込方向幅寸法以下にしたことを特徴とする請求項１又は２記載の間仕切り用パネル。
【発明の詳細な説明】
【技術分野】
【０００１】
本発明は、例えば、学校の校舎を教室と廊下に仕切ったり、複数の教室に仕切ったりする際に用いられて好適な間仕切り用パネルに関するものである。
【背景技術】
【０００２】
この種の間仕切り用パネルとして、竪枠と横枠とを四角形状に接合してパネル枠を構成し、このパネル枠の開口に引戸等の建具を配設したものが汎用されている（例えば、特許文献１参照）。
【０００３】
この間仕切り用パネルのパネル枠は、金属製のものが多く用いられており、竪枠としては、例えば、鋼板等の金属板素材に曲げ加工等を施して柱状に形成した部材が用いられている。
【０００４】
ところで、この間仕切り用パネルのパネル枠において、従来、竪枠の見込方向の角部位置に設けられる曲げ部の外側曲げ半径は、比較的小さく、竪枠（金属板素材）の板厚寸法と同程度かやや大きい程度とされている。
これは、上記曲げ半径を大きくすると、強度が低下しやすいことに加え、通常、竪枠及び横枠、さらには、無目の見込方向幅寸法は、同一に形成されるため、竪枠に横枠及び無目を単に突き合わせて接合した場合には、竪枠の曲げ部と横枠及び無目の間に隙間が生じてしまうためである。
これらの理由により、竪枠の見込方向の角部位置に設けられる曲げ部の外側曲げ半径は、上記のとおり一律に板厚寸法と同程度かやや大きい程度に定められており、これが既成概念化していた。
【０００５】
しかしながら、竪枠の見込方向の角部位置に設けられる曲げ部の外側曲げ半径が小さいと、当該角部に人がぶつかった場合、重大な事故につながるおそれがある。
【先行技術文献】
【特許文献】
【０００６】
【特許文献１】特開２０００−２７３９９２号公報
【発明の概要】
【発明が解決しようとする課題】
【０００７】
本発明は、上記従来の間仕切り用パネルの有する問題点に鑑み、竪枠の見込方向の角部に人がぶつかっても重大な事故につながりにくい、安全性の高い間仕切り用パネルを提供することを目的とする。
【課題を解決するための手段】
【０００８】
上記目的を達成するため、本発明の間仕切り用パネルは、所定の板厚寸法で見込方向の角部位置に曲げ部を有する竪枠に横枠を接合してなるパネル枠と、このパネル枠の開口に配設される建具とを備える間仕切り用パネルにおいて、前記板厚寸法を０．８〜２．５ｍｍとし、竪枠の曲げ部における外側曲げ半径の大きさを、その板厚寸法の４〜１０倍としたことを特徴とする（第１発明）。
ここで、建具とは、引戸やガラス戸のほか、塞ぎ板等を含むものとする。
【０００９】
この場合において、竪枠と横枠の見込方向幅寸法を同じとし、竪枠の端部に突起部を設け、横枠の端部にその突起部に対応する切欠き部を設け、これら突起部と切欠き部とを嵌合させるとともに、固定具により固定することによって、竪枠と横枠とを接合することができる（第２発明）。
【００１０】
また、パネル枠に、該パネル枠の開口を上下に仕切るように無目を設け、この無目の見込方向幅寸法を、竪枠から曲げ部を除外した部分の見込方向幅寸法以下とすることができる（第３発明）。
【発明の効果】
【００１１】
本発明の間仕切り用パネルにおいては、竪枠の角部位置に設けられる曲げ部の外側曲げ半径の大きさをその板厚寸法（０．８〜２．５ｍｍ）の４〜１０倍とすることにより、竪枠の見込方向の角部に人がぶつかっても重大な事故につながりにくく、安全性の高い間仕切り用パネルを提供することができる。
【００１２】
第２発明によれば、竪枠と横枠の見込方向幅寸法が同じとされるので、パネル枠の正面側及び背面側のそれぞれにおいて、竪枠と横枠との間に段差がなく平らな状態、つまり竪枠と横枠とを同面の状態で接合することができる。
ところで、竪枠と横枠とを同面で接合するにあたり、竪枠に横枠を単に突き合わせて接合した場合には、竪枠の曲げ部と横枠との間に隙間が生じてしまう。
第２発明によれば、竪枠の端部に突起部が設け、横枠の端部にその突起部に対応する切欠き部が設け、これら突起部と切欠き部とを嵌合させるとともに、固定具により固定することによって、竪枠と横枠とを接合するようにしているので、上記の隙間をその嵌合部分で吸収することができ、上記の隙間を生じさせることなく、竪枠と横枠とを同面（本明細書において、隙間が生じない状態を意味する。）で接合することができる。
【００１３】
また、第３発明によれば、無目の見込方向幅寸法が竪枠から曲げ部を除外した部分の見込方向幅寸法以下とされるので、少なくとも竪枠の曲げ部の大きさの分だけ無目をパネル枠の見込方向内側に引っ込めることができ、例えば、ランドセル等を吊り下げるためのフックを無目に取り付けたり、無目から掲示板を吊り下げたりする際に、パネル枠の正面側或いは背面側の面からそれらフックや掲示板等が突出するのを防ぐことができる。
【図面の簡単な説明】
【００１４】
【図１】本発明の一実施形態に係る間仕切り用パネルの正面図である。
【図２】（ａ）は図１のＡ−Ａ線断面図で、（ｂ）は図１のＢ−Ｂ線断面図である。
【図３】（ａ）は図１のＣ−Ｃ線断面図で、（ｂ）は図１のＤ−Ｄ線断面図である。
【図４】図３（ａ）のＥ部拡大図である。
【図５】竪枠と上横枠の嵌合・固定構造の一実施形態を説明する斜視図で、（ａ）は分解状態図、（ｂ）は組立状態図である。
【図６】竪枠と上横枠の嵌合・固定構造の変形実施形態を説明する分解状態の斜視図である。
【発明を実施するための形態】
【００１５】
次に、本発明の間仕切り用パネルの実施の形態を、図面に基づいて説明する。
【００１６】
図１に示されるように、本実施形態に係る間仕切り用パネル１は、出入口パネル２とガラス窓パネル３とが図の左右方向に連設されてなり、例えば、学校の教室と廊下とを仕切るために用いられ、建物躯体、例えば、鉄筋コンクリート柱間に組み込まれる。
なお、出入口パネル２やガラス窓パネル３等の単位パネルの数や配置は、仕様に応じて、適宜に変更することができる。
【００１７】
まず、出入口パネル２について説明する。
【００１８】
＜パネル枠９の説明＞
出入口パネル２は、図１において左右方向に所定間隔を有して配される竪枠（方立）４、５に複数の横枠６、７、８が接合されて構成されるパネル枠９を備えている。
ここで、横枠６は、竪枠４、５の上端部同士を繋ぐものであり、以下、「上横枠６」と称する。また、横枠７は、竪枠４、５の下端部同士を繋ぐものであり、以下、「下横枠７」と称する。また、横枠８、２９は、パネル枠９の開口を上下に仕切るように設けられ、竪枠４、５の上部寄りの部位同士を繋ぐものであり、以下、「無目８、２９」と称する。
【００１９】
＜引戸１０、ガラス戸１１の説明＞
パネル枠９において、無目８、下横枠７、竪枠４、５によって区画形成される開口９ａには、引き違いの引戸１０、１０が配設されている。
また、上横枠６、無目８、竪枠４、５によって区画形成される開口９ｂには、引戸式のガラス戸１１、１１が配設されている。
【００２０】
図２（ａ）に示されるように、引戸１０において、その上部には、レール案内部１２が設けられ、その下部には、戸車１３が装着されている。
無目８の下面には、レール案内部１２に対応するように上レール１４が設けられる一方、下横枠７の上面には、戸車１３に対応するように下レール１５が設けられている。
こうして、引戸１０が無目８及び下横枠７に沿ってスライド自在とされている。
【００２１】
ガラス戸１１において、その上部には、レール案内部１６が設けられ、その下部には、戸車１７が装着されている。
上横枠６の下面には、レール案内部１６に対応するように上レール１８が設けられる一方、無目８の上面には、戸車１７に対応するように下レール１９が設けられている。
こうして、ガラス戸１１が上横枠６及び無目８に沿ってスライド自在とされている。
【００２２】
＜竪枠４の説明＞
図３（ａ）に示されるように、竪枠４は、例えば、鋼板等の金属板素材に曲げ加工等を施して作製され、見付部分に所要の厚みを持たせた柱状の部材よりなるものである。
ここで、竪枠４を構成する金属板素材の板厚寸法は、０．８〜２．５ｍｍ程度であり、本実施形態では、板厚が１．２ｍｍの金属板素材により竪枠４が構成されている。
【００２３】
竪枠４の見込方向の両角部位置には、それぞれ曲げ部４ａが設けられている。
図４（ａ）に示されるように、各曲げ部４ａの外側曲げ半径Ｒの大きさは、Ｒの値が小さすぎると、当該角部に人がぶつかった場合、重大な事故につながるおそれがある。一方、Ｒの値が大きすぎると、竪枠４の見込方向幅が大きくなりすぎて設置上問題が生じるおそれがあるので、その板厚寸法（ｔ＝０．８〜２．５ｍｍ）の４〜１０倍、好ましくは、５〜１０倍の範囲で設定するようにしている。なお、本実施形態では、Ｒ＝１０ｍｍ（ｔ＝１．２ｍｍの８．３倍）とされている。
【００２４】
図３（ａ）（ｂ）に示されるように、竪枠４には、パネル枠９の開口９ａ、９ｂに臨ませた面（表面）の全長に亘って溝４ｂが形成されている。この溝４ｂは、引戸１０やガラス戸１１を閉じる際の係合溝として、或いは後述する塞ぎ板３１の組み込み用の溝として用いられる。
【００２５】
＜竪枠４と上横枠６との嵌合・固定構造の説明＞
図２（ａ）に示されるように、竪枠４と上横枠６とにおいて、両者の見込方向幅寸法は共にＷ１で同じとされている。これにより、パネル枠９の正面側及び背面側のそれぞれにおいて、竪枠４と上横枠６との間に段差をなくして両者を平らな同面の状態で接合することができる。
ところで、竪枠４と上横枠６とを同面で接合するにあたり、竪枠４の表面に上横枠６を単に突き合わせて接合した場合には、竪枠４の曲げ部４ａと上横枠６との間に隙間が生じてしまう。
そこで、図５（ａ）に示されるように、本実施形態では、竪枠４の上端部に、両側の曲げ部４ａ、４ａ以外の中央部分を上方に突出させたような突起部２１を設け、上横枠６の端部に、その突起部２１に対応する位置で竪枠４の見付寸法分程度切り欠かれた切欠き部２２を設け、図５（ｂ）に示されるように、これら突起部２１と切欠き部２２とを嵌合させることにより、上記の隙間をその嵌合部分で吸収することができ、上記の隙間を生じさせることなく、竪枠４と上横枠６とを同面で接合することができる。
【００２６】
竪枠４と上横枠６とは、第１固定具２３と第２固定具２４とを用いて固定される。
第１固定具２３は、竪枠４側に配設されるもので、長方形状の面板部２３ａと、この面板部２３ａに直角に接続された支持脚部２３ｂ、２３ｂとからなる断面コ字状の部材からなり、面板部２３ａには、所要のビス挿通孔２３ｃが穿設されている。
一方、第２固定具２４は、上横枠６側に配設されるもので、長方形状の面板部２４ａと、この面板部２４ａに直角に接続された固定部２４ｂとからなる断面Ｌ字状の部材からなり、面板部２４ａには、第１固定具２３における所要のビス挿通孔２３ｃに対応する所要の螺子孔２４ｃが設けられている。
【００２７】
第２固定具２４は、竪枠４の突起部２１と上横枠６の切欠き部２２とを嵌合させた状態において、上横枠６の切欠き部２２の後方位置に、固定部２４ｂを介して、溶接等の固着手段で固着されている。
竪枠４には、第１固定具２３を嵌合状態に固定する矩形状の嵌入用孔部２５が穿設されている。
そして、第１固定具２３を竪枠４の嵌入用孔部２５に嵌め込むようにし（このとき、第１固定具２３の面板部２３ａの両端部が嵌入用孔部２５の側縁部に当接して、第１固定具２３の位置決めがなされる。）、この状態で、ビス２７をビス挿通孔２３ｃを通して第２固定具２４の螺子孔２４ｃに螺合させて締め付けることにより、図５（ｂ）に示されるように、竪枠４と上横枠６とを固定することができる。
【００２８】
この場合、上横枠６の切欠き部２２の位置に、上横枠６から突片２６を延設させ、この突片２６を嵌入用孔部２５の嵌入させた状態で、竪枠４と上横枠６とを固定するようにしている。
これにより、竪枠４と上横枠６とをより強固に、かつ精度高く接合することができる。
【００２９】
ところで、竪枠４と上横枠６の嵌合・固定構造としては、上記の実施形態のほか、図６に示されるように、竪枠４の上端部に突起部２１を設け、上横枠６の端部に、その突起部２１に対応する位置で切欠き部としての嵌入用孔部２５ａを設け、これら突起部２１と嵌入用孔部２５ａとを嵌合させることにより、上記の隙間をその嵌合部分で吸収することができ、上記の隙間を生じさせることなく、竪枠４と上横枠６とを同面で接合することができる。
【００３０】
竪枠４と上横枠６とは、上記の実施形態の第１固定具２３に代わる第１固定部２５ｂ、２５ｂと第２固定具２４とを用いて固定される。
第１固定部２５ｂ、２５ｂは、上横枠６側に形成されるもので、上横枠６の竪枠４が接合する部分に穿設した所要のビス挿通孔で構成される。
一方、第２固定具２４は、竪枠４側に配設されるもので、長方形状の面板部２４ａと、この面板部２４ａに直角に接続された固定部２４ｂとからなる断面Ｌ字状の部材からなり、面板部２４ａには、第１固定部２５ｂに対応する所要の螺子孔２４ｃが設けられている。
【００３１】
第２固定具２４は、竪枠４の突起部２１と上横枠６の嵌入用孔部２５ａとを嵌合させた状態において、竪枠４の突起部２１の後方位置に、固定部２４ｂを介して、溶接等の固着手段で固着されている。
そして、この状態で、ビス２７を第１固定部２５ｂとしてのビス挿通孔を通して第２固定具２４の螺子孔２４ｃに螺合させて締め付けることにより、竪枠４と上横枠６とを固定することができる。
【００３２】
このように、竪枠４の突起部２１と上横枠６の嵌入用孔部２５ａとを嵌合させる、より具体的には、竪枠４の突起部２１を上横枠６の嵌入用孔部２５ａに嵌入させた状態で、竪枠４と上横枠６とを固定するようにすることにより、両者をより強固に、かつ精度高く接合することができる。
【００３３】
＜竪枠５の説明＞
図３（ａ）（ｂ）に示されるように、竪枠５は、出入口パネル２の竪枠としての役目とガラス窓パネル３の竪枠としての役目とを兼ねるものであり、前述した竪枠４を左右対称に配置して接合したような構造物で、竪枠４の曲げ部４ａと同様の曲げ部５ａを四隅に有している。
なお、図示による詳細な説明は省略するが、この竪枠５と上横枠６とは、上記の嵌合・固定構造と同様の構造にて接合されている。
【００３４】
＜無目８、２９の見込方向幅寸法の説明＞
図２（ａ）に示されるように、無目８、２９の見込方向幅寸法Ｗ２は、竪枠４からその見込方向の両角部位置におけるそれぞれの曲げ部４ａ、４ａを除外した部分の見込方向幅寸法（Ｗ１−２Ｒ）以下とされている。
これにより、例えば、無目２９について、当該無目２９の表面を少なくとも竪枠４の曲げ部４ａの大きさの分だけパネル枠９の見込方向内側に引っ込める（後退させて設ける）ことができ、無目２９にフック等を取り付けた際に、パネル枠９の正面側或いは背面側の面からフック等が突出するのを防ぐことができる。
【００３５】
＜ガラス窓パネル３の説明＞
次に、ガラス窓パネル３について説明する。なお、このガラス窓パネル３において、先に説明した出入口パネル２と同一又は同様のものについては、図に同一符号を付すに留めてその詳細な説明を省略することとし、以下においては、その出入口パネル２と異なる点を中心に説明することとする。
【００３６】
図１に示されるように、ガラス窓パネル３においては、図１において左右方向に所定間隔を有して配される竪枠５及び竪枠４の上部寄りの部位同士を繋ぐ無目８と下横枠７との中間位置に、さらに無目２９を追加してパネル枠３０が構成されている。
このパネル枠３０において、下側の無目２９、下横枠７及び竪枠４、５によって区画形成される開口３０ａには、塞ぎ板３１が組み込まれている。
また、上下の無目８、２９及び竪枠４、５によって区画形成される開口３０ｂには、前述したガラス戸１１よりも大きい引戸式のガラス戸３２が上下の無目８、２９に沿ってスライド自在に配設されている。
【００３７】
図２（ｂ）に示されるように、無目２９の見込方向幅寸法Ｗ３は、無目８の見込方向幅寸法Ｗ２と同様に、竪枠５からその見込方向の両角部位置におけるそれぞれの曲げ部５ａ、５ａを除外した部分の見込方向幅寸法（Ｗ１−２Ｒ）以下とされているため、前述したフック等の突出防止効果を得ることができるのは勿論のこと、例えば、塞ぎ板３１の正面側或いは背面側に掲示板等を配したとしても、パネル枠３０の正面側或いは背面側の面から突出することなくすっきりと収めることができる。
【００３８】
＜作用効果の説明＞
本実施形態の間仕切り用パネル１においては、竪枠４、５の曲げ部４ａ（５ａ）における外側曲げ半径Ｒの大きさを、その板厚寸法（ｔ＝１．２ｍｍ）の４〜１０倍、より具体的には、１０ｍｍ（ｔ＝１．２ｍｍの８．３倍）とすることにより、竪枠４の見込方向の角部に人がぶつかっても重大な事故につながりにくく、安全性の高い間仕切り用パネル１を提供することができる。
【００３９】
以上、本発明の間仕切り用パネルについて、一実施形態に基づいて説明したが、本発明は上記実施形態に記載した構成に限定されるものではなく、その趣旨を逸脱しない範囲において適宜その構成を変更することができるものである。
【産業上の利用可能性】
【００４０】
本発明の間仕切り用パネルは、竪枠の見込方向の角部に人がぶつかっても重大な事故につながりにくく、安全性の高い間仕切り用パネルを提供することができるという特性を有していることから、学校の校舎を教室と廊下に仕切る、或いは複数の教室に仕切る用途に好適に用いることができる。
【符号の説明】
【００４１】
１  間仕切り用パネル
４  竪枠（方立）
４ａ  曲げ部
５  竪枠（方立）
５ａ  曲げ部
６  上横枠
７  下横枠
８  無目
９  パネル枠
１０  引戸（建具）
１１  ガラス戸（建具）
２１  突起部
２２  切欠き部
２３  第１固定具
２４  第２固定具
２９  無目
３０  パネル枠
３１  塞ぎ板（建具）
３２  ガラス戸（建具）
【図１】
2014173403.tif 000003
【図２】
2014173403.tif 000004
【図３】
2014173403.tif 000005
【図４】
2014173403.tif 000006
【図５】
2014173403.tif 000007
【図６】
2014173403.tif 000008